(57)【要約】【課題】  従来よりも見栄えが良く、芯糸の弛みも生じにくい装身具用連結具を提供する。【解決手段】  装身具の第１装飾部２０を構成する芯糸１１の一端を保持する保持体１２と、保持体１２を収容するようにして保持する収容保持体１３と、収容保持体１３を覆うカバー体１４と、を備える。収容保持体１３には、装身具の第２装飾部３０に連結される連結部１３ｆが形成されている。芯糸１１が露出することが無く、装身具の見栄えを向上することができる。また、芯糸の弛みも生じにくくすることができる。【選択図】    図１
2007307066.tif 000002
【特許請求の範囲】
【請求項１】
装身具の第１装飾部を構成する芯糸の一端を保持する保持体と、
前記保持体を収容するようにして保持する収容保持体と、
前記収容保持体を覆うカバー体と、
を備え、
前記収容保持体には、前記装身具の第２装飾部に連結される連結部が形成されていることを特徴とする装身具用連結具。
【請求項２】
前記収容保持体の前記連結部は、連結環であることを特徴とする請求項１に記載の装身具用連結具。
【請求項３】
前記収容保持体を前記カバー体により覆った状態で、前記収容保持体の前記連結部は前記カバー体から突出することを特徴とする請求項１又は２に記載の装身具用連結具。
【請求項４】
前記カバー体において、前記第２装飾部側の端部の内径は、前記収容保持体を脱落不能とするため狭められていることを特徴とする請求項１乃至３の何れか一項に記載の装身具用連結具。
【請求項５】
前記収容保持体は前記保持体をくわえ込むようにして保持することにより、前記保持体を前記第１装飾部側に抜け止めすることを特徴とする請求項１乃至４の何れか一項に記載の装身具用連結具。
【請求項６】
前記収容保持体は、前記保持体が配置される凹部を備え、
前記凹部内に前記保持体が配置された状態の前記収容保持体を前記カバー体内に挿入することにより、前記保持体を前記凹部と前記カバー体との間に挟んで保持するとともに、前記保持体を前記第１装飾部側に抜け止めすることを特徴とする請求項１乃至４の何れか一項に記載の装身具用連結具。
【請求項７】
装身具の第１装飾部を構成する芯糸の一端を保持する保持体と、
前記保持体が通過不能な内径に設定され前記芯糸が挿通される中空部が形成されているとともに、雄ねじ部を備える第１筒状体と、
前記雄ねじ部が螺入される雌ねじ部を備える第２筒状体と、
を備え、
前記第２筒状体には、前記雄ねじ部を前記雌ねじ部に螺入した状態で前記保持体を収容する中空部と、前記装身具の第２装飾部に連結される連結部と、が形成されていることを特徴とする装身具用連結具。
【請求項８】
前記保持体は、前記芯糸の一端が内部に導入される中空体からなり、
前記芯糸の一端を前記保持体の内部に導入した状態で、前記保持体を潰すことにより、前記芯糸の一端が前記保持体により保持されることを特徴とする請求項１乃至７の何れか一項に記載の装身具用連結具。
【請求項９】
請求項１乃至８の何れか一項に記載の装身具用連結具を備えることを特徴とする装身具。
【発明の詳細な説明】
【技術分野】
【０００１】
本発明は、装身具用連結具
【背景技術】
【０００２】
従来、例えば、貴金属、宝石その他の装飾部材を複数個連ねてなる連珠体を有するネックレス、ブレスレット、ペンダント或いはその他の装身具があるが、それらの装身具には、該装身具の一部分どうしを連結する装身具用連結具が用いられる場合がある。
【０００３】
図１０は特許文献１に開示された装身具用連結具１００を示す正面断面図である。
【０００４】
装身具用留め具１００は、例えば、図１０に示すような第１装飾部２００と第２装飾部３００とを連結するものである。
【０００５】
第１装飾部２００は、例えば、複数の珠型の装飾部材１６０を金属線１３２を順次通して連ねたものである。なお、装飾部材１６０どうしの間隔には、緩衝材１６１が介装されている。
【０００６】
図１０に示すように、装身具用連結具１００は、留め具１１０と、キャップ部材１２０と、を備えている。
【０００７】
留め具１１０及びキャップ部材１２０には、その長手方向に亘って貫通する中空部が形成されている。
【０００８】
留め具１１０には雄ねじ部１１２ａが形成され、この雄ねじ部１１２ａが螺入される雌ねじ部１２０ａがキャップ部材１２０に形成されている。
【０００９】
装身具用連結具１００により第１装飾部２００と第２装飾部３００とを連結するには、先ず、金属線１３２を、キャップ部材１２０の一端側から導入し、キャップ部材１２０の中空部を通してキャップ部材１２０の他端側から導出する。
【００１０】
次に、金属線１３２を金属片１４０の孔の中に通した後、金属線１３２を留め具１１０の中空部を通して、留め具１１０外側まで導き、金属線１３２によりループ１３２ａを形成する。
【００１１】
ここで、ループ１３２ａは、第２装飾部３００の連結環１５０に通すとともに、コイル１３３にも通す。
【００１２】
次に、金属線１３２を再び留め具１１０の中空部を通して金属片１４０の孔の中に通し、金属片１４０を潰すことにより、金属線１３２を固定する。
【００１３】
ここで、金属片１４０は留め具１１０の中空部内に挿入不能な寸法であるとともに、キャップ部材１２０の中空部内に収容可能な寸法である。
【００１４】
次に、キャップ部材１２０の雌ねじ部１２０ａ内に留め具１１０の雄ねじ部１１２ａを螺入するとともに、金属片１４０をキャップ部材１２０の中空部内に収容させる。
【００１５】
これにより、装身具用連結具１００により第１及び第２装飾部２００，３００が連結される。
【特許文献１】特開２００４−２２３１４５号公報
【発明の開示】
【発明が解決しようとする課題】
【００１６】
しかしながら、上記の装身具用連結具１００では、金属線１３３のループ１３２ａが露出した状態であるので、見栄えが悪いという問題があった。
【００１７】
このため、ループ１３２ａをコイル１３３により被覆し、見栄え（装飾性）を改善する必要があった。
【００１８】
更に、上記の装身具用連結具１００では、連珠体である第１装飾部２００の芯糸として機能する金属線１３２の一部によりループ部１３２ａを形成する必要があるため、第１装飾部２００の装飾部材１６０間の弛みが生じることがあるという問題があった。
【００１９】
本発明は、上記のような問題点を解決するためになされたもので、従来よりも見栄えが良く、芯糸がたるむことがない装身具用連結具を提供することを目的とする。
【課題を解決するための手段】
【００２０】
上記課題を解決するため、本発明の装身具用連結具は、装身具の第１装飾部を構成する芯糸の一端を保持する保持体と、前記保持体を収容するようにして保持する収容保持体と、前記収容保持体を覆うカバー体と、を備え、前記収容保持体には、前記装身具の第２装飾部に連結される連結部が形成されていることを特徴としている。
【００２１】
本発明の装身具用連結具においては、前記収容保持体の前記連結部は、連結環であることが好ましい。
【００２２】
本発明の装身具用連結具においては、前記収容保持体を前記カバー体により覆った状態で、前記収容保持体の前記連結部は前記カバー体から突出することが好ましい。
【００２３】
本発明の装身具用連結具においては、前記カバー体において、前記第２装飾部側の端部の内径は、前記収容保持体を脱落不能とするため狭められていることが好ましい。
【００２４】
本発明の装身具用連結具においては、前記収容保持体は前記保持体をくわえ込むようにして保持することにより、前記保持体を前記第１装飾部側に抜け止めすることが好ましい。
【００２５】
或いは、本発明の装身具用留め具においては、前記収容保持体は、前記保持体が配置される凹部を備え、前記凹部内に前記保持体が配置された状態の前記収容保持体を前記カバー体内に挿入することにより、前記保持体を前記凹部と前記カバー体との間に挟んで保持するとともに、前記保持体を前記第１装飾部側に抜け止めすることも好ましい。
【００２６】
また、本発明の装身具用連結具は、装身具の第１装飾部を構成する芯糸の一端を保持する保持体と、前記保持体が通過不能な内径に設定され前記芯糸が挿通される中空部が形成されているとともに、雄ねじ部を備える第１筒状体と、前記雄ねじ部が螺入される雌ねじ部を備える第２筒状体と、を備え、前記第２筒状体には、前記雄ねじ部を前記雌ねじ部に螺入した状態で前記保持体を収容する中空部と、前記装身具の第２装飾部に連結される連結部と、が形成されていることを特徴としている。
【００２７】
本発明の装身具用連結具においては、前記保持体は、前記芯糸の一端が内部に導入される中空体からなり、前記芯糸の一端を前記保持体の内部に導入した状態で、前記保持体を潰すことにより、前記芯糸の一端が前記保持体により保持されることが好ましい。
【００２８】
本発明の装身具は、本発明の装身具用連結具を備えることを特徴としている。
【発明の効果】
【００２９】
本発明によれば、装身具の第１装飾部を構成する芯糸の一端を保持する保持体と、保持体を収容するようにして保持する収容保持体と、収容保持体を覆うカバー体と、を備え、収容保持体には、装身具の第２装飾部に連結される連結部が形成されているので、装身具の第１及び第２装飾部を好適に連結することができると共に、芯糸が露出することが無く、装身具の見栄えを向上することができる。よって、特許文献１の技術とは異なり、芯糸を覆うコイルなども不要となる。しかも、芯糸によりループを形成する必要もないため、芯糸の弛みも生じにくくすることができる。
【００３０】
また、本発明によれば、装身具の第１装飾部を構成する芯糸の一端を保持する保持体と、保持体が通過不能な内径に設定され前記芯糸が挿通される中空部が形成されているとともに、雄ねじ部を備える第１筒状体と、雄ねじ部が螺入される雌ねじ部を備える第２筒状体と、を備え、第２筒状体には、雄ねじ部を雌ねじ部に螺入した状態で保持体を収容する中空部と、装身具の第２装飾部に連結される連結部と、が形成されているので、装身具の第１及び第２装飾部を好適に連結することができると共に、芯糸が露出することが無く、装身具の見栄えを向上することができる。よって、特許文献１の技術とは異なり、芯糸を覆うコイルなども不要となる。しかも、芯糸によりループを形成する必要もないため、芯糸の弛みも生じにくくすることができる。
【発明を実施するための最良の形態】
【００３１】
以下、図面を参照して、本発明に係る実施形態について説明する。
【００３２】
〔第１の実施形態〕
図１は第１の実施形態に係る装身具用連結具１０を示す分解斜視図、図２は装身具用留め具１０を組み立てた状態の正面断面図である。
【００３３】
図１及び図２に示す装身具用連結具１０は、例えば、図１及び図２に示すような第１及び第２装飾部２０，３０の連結に用いられる。
【００３４】
第１及び第２装飾部２０，３０は、ネックレス、ブレスレット、ペンダント或いはその他の装身具の一部ずつである。
【００３５】
第１装飾部２０は、例えば、複数の珠型の装飾部材２１を芯糸１１により相互に連結してなる連珠体であり、芯糸１１の一端部が装身具用連結具１０に保持されることによって該装身具用連結具１０と連結される。
【００３６】
なお、第１装飾部２０と装身具用連結具１０との間には、例えば、芯糸１１が通された緩衝材２２が設けられる。この緩衝材２２は、例えば、シリコンゴムからなる。
【００３７】
第２装飾部３０は、例えば、チェーン３１と、このチェーン３１の一端部に連結された装飾部材３２と、を備え、連結環３３を介して装身具用連結具１０と連結される。
【００３８】
図１に示すように、本実施形態に係る装身具用連結具１０は、装身具の一部分どうし（第１装飾部２０と第２装飾部３０）を連結するためのものであり、例えば、芯糸１１の一端部を保持する噛みつぶし（保持体）１２と、この噛みつぶし１２をくわえ込むようにして保持する噛み込み体（収容保持体）１３と、この噛み込み体１３を覆うカバー体１４と、を備えて構成されている。
【００３９】
噛みつぶし１２は、元々は円筒形状（中空体）に形成された金属部材であり、例えば、図１に示すように、芯糸１１を巻き付けた状態で、該噛みつぶし１２をつぶすことにより、芯糸１１の一端部を保持する。
【００４０】
噛み込み体１３は、例えば、図１に示すように、略釣り鐘状の全体形状を有している。
【００４１】
噛み込み体１３は、第１部分１３ａと、第２部分１３ｂと、が各々の一端部において連結され、当初は、図１に示すように、第１部分１３ａと第２部分１３ｂとが開いた状態となっている。
【００４２】
第１部分１３ａと第２部分１３ｂとの間には、噛みつぶし１２が配置される配置領域１３ｃが形成されている。
【００４３】
例えば、第１部分１３ａにおいて、第２部分１３ｂと連結されているのとは反対側の端面には、芯糸１１が通される切欠部１３ｄが形成されている。
【００４４】
更に、例えば、第２部分１３ｂにおいて、第１部分１３ａと連結されている側の端部の側面（図１では上向きの面）には、芯糸１１が通される開口部１３ｅが形成されている。
【００４５】
更に、噛み込み体１３の第１部分１３ａと第２部分１３ｂとを連結する部分には、その表裏に亘って（図１では上向きの面からその裏面に亘って）貫通する連結用環状部（連結部；連結環）１３ｆが形成されている。
【００４６】
噛み込み体１３は、その配置領域１３ｃに噛みつぶし１２を配置し、開口部１３ｅを介して芯糸１１の一端部を導出し、芯糸１１を切欠部１３ｄに配置した状態で、第１部分１３ａと第２部分１３ｂとを閉じるようにして潰すことにより、噛みつぶし１２をくわえ込むようにして保持する。
【００４７】
カバー体１４は、例えば、図１に示すように、円筒形状のものであり、潰した状態の噛み込み体１３における連結用環状部１３ｆを除く部分を全て覆うような寸法を有している。
【００４８】
次に、第１及び第２装飾部２０，３０を装身具用連結具１０により連結する方法について説明する。
【００４９】
先ず、図１に示すように、芯糸１１の一端側を噛みつぶし１２に巻き付けて、該噛みつぶし１２をつぶす。これにより芯糸１１の一端側が噛みつぶし１２により保持される。
【００５０】
次に、図１に示すように、芯糸１１の一端を噛み込み体１３の内側より開口部１３ａを介して外側に導出する。
【００５１】
更に、噛みつぶし１２を噛み込み体１３の配置領域１３ｃ内に配置するとともに、芯糸１１において、噛みつぶし１２よりも第１装飾部２０側の部分を切欠部１３ｄ内に配置する。
【００５２】
この状態で、噛み込み体１３を潰す（図２参照）。これにより、噛み込み体１３により噛みつぶし１２が保持される。
【００５３】
次に、芯糸１１の一端を適当な長さに切断した後で、カバー体１４内に噛み込み体１３を挿入する（図２参照）。この状態で、図２に示すように、噛み込み体１３の連結用環状部１３ｆはカバー体１４から突出する。
【００５４】
次に、連結用環状部１３ｆに対して、連結環３３を介してチェーン３１を連結する。
【００５５】
これにより、図２に示すように、第１及び第２装飾部２０，３０が装身具用連結具１０を介して相互に連結された状態となる。
【００５６】
以上のような第１の実施形態によれば、装身具の第１装飾部２０を構成する芯糸１１の一端を保持する噛みつぶし１２と、噛みつぶし１２を収容するようにして保持する噛み込み体１３と、噛み込み体１３を覆うカバー体１４と、を備え、噛み込み体１３には、装身具の第２装飾部３０に連結される連結用環状部１３ｆが形成されているので、装身具の第１及び第２装飾部２０，３０を好適に連結することができると共に、芯糸１１が露出することが無く、装身具の見栄えを向上することができる。よって、特許文献１の技術とは異なり、芯糸１１を覆うコイルなども不要となる。しかも、芯糸１１によりループを形成する必要もないため、芯糸１１の弛みも生じにくくすることができる。
【００５７】
〔第２の実施形態〕
図３は第２の実施形態に係る装身具用連結具１０を示す正面断面図である。
【００５８】
図３に示す装身具用留め具１０は、第２装飾部３０側の端部１４ａの内径が、噛み込み体１３を脱落不能とするため狭められている点でのみ上記の第１の実施形態に係る装身具用留め具１０と相違する。
【００５９】
端部１４ａの内寸は、噛み込み体１３が通過不能な寸法に設定されている。
【００６０】
第２の実施形態によれば、第１の実施形態と同様の効果が得られる他に、噛み込み体１３がカバー体１４に対して図３の矢印Ｃ方向（第２装飾部３０側）に抜けてしまうことを防止することができる。
【００６１】
〔第３の実施形態〕
図４は第３の実施形態に係る装身具用留め具５０を示す分解斜視図、図５は装身具用留め具５０を組み立てた状態の正面断面図である。
【００６２】
図４及び図５に示す装身具用連結具５０は、例えば、図４及び図５に示すような第１及び第２装飾部６０，３０の連結に用いられる。
【００６３】
第２装飾部３０は、第１の実施形態と同様である。
【００６４】
第１装飾部６０は、例えば、複数の珠型の装飾部材２１を芯糸１１により相互に連結してなる連珠体であり、芯糸１１の一端部が装身具用連結具５０に保持されることによって該装身具用連結具５０と連結される。
【００６５】
なお、装飾部材２１の間隔には、緩衝材２３が介装されている。
【００６６】
図４に示すように、本実施形態に係る装身具用連結具５０は、装身具の一部分どうし（第１装飾部６０と第２装飾部３０）を連結するためのものであり、例えば、芯糸１１の一端部を保持する噛みつぶし（保持体）１２と、雄ねじ部５１を有する第１筒状体５２と、雄ねじ部５１が螺入される雌ねじ部５３を有する第２筒状体５４と、を備えている。
【００６７】
第１筒状体５２には、雄ねじ部５１が形成されているのとは反対側の端面から、雄ねじ部５１の先端まで貫通する中空部５５が形成されている。
【００６８】
この中空部５５の内径は、潰した状態の噛みつぶし１２が通過不能な寸法、更に言えば、潰した状態の噛みつぶし１２を挿入不能な寸法に設定されている。
【００６９】
第２筒状部５４には、雌ねじ部５３と連通する中空部５６が形成されている。
【００７０】
ここで、雄ねじ部５３の内径及び中空部５６の内径は、潰した状態の噛みつぶし１２を収容可能な寸法に設定されている。
【００７１】
第２筒状部５４において、雌ねじ部５３側の開口とは反対側の端部は閉塞され、該反対側の端部には、第２装飾部３０を連結するための連結環（連結部）５７が形成されている。
【００７２】
第１筒状体５２及び第２筒状体５４は、例えば、それぞれ円筒形状となっており、雄ねじ部５１を雌ねじ部５３に螺入した状態で、第１筒状体５２及び第２筒状体５４の外周面がほぼ面一となるようになっている。
【００７３】
次に、第１及び第２装飾部６０，３０を装身具用連結具５０により連結する方法について説明する。
【００７４】
先ず、図４に示すように、芯糸１１の一端側を、第１筒状部５２において雄ねじ部５１が形成されているのとは反対側の開口部から中空部５５内に導入し、雄ねじ部５１の先端側の開口より導出する。
【００７５】
次に、雄ねじ部５１の先端側より導出した芯糸１１の一端側を図４に示すように噛みつぶし１２に通して折り返し、該噛みつぶし１２をつぶすことにより、芯糸１１の一端側を噛みつぶし１２により保持する。
【００７６】
ここで、上記のように、第１筒状部５２の中空部５５の内径は、噛みつぶし１２が挿入不能な寸法に設定されるので、芯糸１１は、第１筒状部５２よりも図４及び図５の矢印Ｄ方向には移動不能となるよう抜け止めされる。
【００７７】
次に、図５に示すように、第１筒状部５２の雄ねじ部５１を第２筒状部５４の雌ねじ部５３に螺入する。これにより、噛みつぶし１２は第２筒状部５４の中空部５６内に収容された状態となる。
【００７８】
また、第２筒状部５４の連結環５７には、何れかのタイミングで、連結環３３を介して第２装飾部３０を連結する。
【００７９】
これにより、図５に示すように、第１及び第２装飾部２０，３０が装身具用連結具１０を介して相互に連結された状態となる。
【００８０】
以上のような第３の実施形態によれば、装身具の第１装飾部６０を構成する芯糸１１の一端を保持する噛みつぶし１２と、噛みつぶし１２が通過不能な内径に設定され芯糸１１が挿通される中空部５５が形成されているとともに、雄ねじ部５１を備える第１筒状体５２と、雄ねじ部５１が螺入される雌ねじ部５３を備える第２筒状体５４と、を備え、第２筒状体５４には、雄ねじ部５１を雌ねじ部５３に螺入した状態で噛みつぶし１２を収容する中空部５６と、装身具の第２装飾部３０に連結される連結環５７と、が形成されているので、装身具の第１及び第２装飾部６０，３０を好適に連結することができると共に、芯糸１１が露出することが無く、装身具の見栄えを向上することができる。よって、特許文献１の技術とは異なり、芯糸１１を覆うコイルなども不要となる。しかも、芯糸１１によりループを形成する必要もないため、芯糸１１の弛みも生じにくくすることができる。
【００８１】
〔第４の実施形態〕
図６は第４の実施形態に係る装身具用連結具５０を示す正面断面図である。
【００８２】
図６に示す装身具用留め具５０は、第１筒状体５２の中空部５３内に配設され、第１筒状体５２と第１装飾部６０との間を緩衝する緩衝体７０を更に備える点でのみ上記の第３の実施形態に係る装身具用留め具５０と相違する。
【００８３】
図６に示すように、緩衝体７０は、例えば、芯糸１１が通される中空体からなる。なお、緩衝体７０は、芯糸１１が通されるコイルからなるものであっても良い。
【００８４】
第１筒状体５２の中空部５５は、小径部５５ａと大径部５５ｂとからなり、緩衝体７０の一端部は、小径部５５ａと大径部５５ｂとの境界の段差部５５ｃに突き当たっている。
【００８５】
また、緩衝体７０の他端部は、第１筒状体５２の第１装飾部６０側の端面とほぼ面一となっている。
【００８６】
第４の実施形態によれば、第３の実施形態と同様の効果が得られる他に、第１装飾部６０と装身具用連結具５０との間にクッション性（緩衝性）を持たせることができる。
【００８７】
〔第５の実施形態〕
図７は第５の実施形態に係る装身具用留め具８０を示す分解斜視図である。
【００８８】
図７に示す装身具用留め具８０は、噛み込み体１３（図１）に代えて収容保持体８１を備える点と、カバー体１４の構造が異なる点と、の２点でのみ第１の実施形態に係る装身具用留め具１０と相違する。
【００８９】
収容保持体８１は、噛みつぶし１２が配置される凹部８２と、芯糸１１が通されるスリット８３、８４と、連結用環状部８５と、を備えている。
【００９０】
また、本実施形態の場合、カバー体１４は、例えば、その内空断面が略長方形状となっており、収容保持体８１の外周に沿うようになっている。
【００９１】
更に、カバー体１４の一方の開口部の内周側には係止部１４ｂが形成されたことにより、該開口部が収容保持体８１の脱落を防止するために狭められている。
【００９２】
本実施形態の場合、芯糸１１を保持した噛みつぶし１２を凹部８２内に配置すると共に、芯糸１１において噛みつぶし１２よりも第１装飾部（図示略）側の部分（図７では噛みつぶし１２の右側部分）をスリット８３内に通す一方で、芯糸１２において噛みつぶし１２よりも連結用環状部８５側の部分をスリット８４内に配置し、芯糸１１の先端を適当な長さに切断し、凹部８２内に噛みつぶし１２が配置された状態の収容保持体８１をカバー体１４内に挿入する。
【００９３】
これにより、噛みつぶし１２を凹部８２とカバー体１４の内周との間に挟んで保持させるとともに、噛みつぶし１２を第１装飾部側に抜け止めする。
【００９４】
そして、連結用環状部８５に対し、連結環３３を介して第２装飾部（図示略）を連結する。
【００９５】
第５の実施形態によれば、収容保持体８１は、第１の実施形態における噛み込み体１３の第２部分１３ｂを削除したような構造であるので、第１の実施形態と比べて小型化が可能となる。また、第５の実施形態は、小型化の観点では、後述する第６の実施形態よりも有利である。
【００９６】
〔第６の実施形態〕
図９は第６の実施形態に係る装身具用連結具（全体図示略）の収容保持体９１を示す斜視図である。
【００９７】
本実施形態に係る装身具用留め具は、収容保持体９１の構造のみが第５の実施形態（第５の実施形態では収容保持体８１）と相違する。
【００９８】
図９に示すように、収容保持体９１は、噛みつぶし１２（図示略）が配置される凹部９２と、芯糸１１（図示略）が通される開口部９３を構成する弧状の動作片９４と、開口部９３内に芯糸１１を入り込ませるためのスリット９５と、開口部９６と、連結用環状部９７と、を備えている。
【００９９】
本実施形態の場合、芯糸１１を保持した噛みつぶし１２を凹部８２内に配置すると共に、芯糸１１において噛みつぶし１２よりも第１装飾部（図示略）側の部分をスリット９５を介して開口部９３内に入り込ませる。
【０１００】
そして、動作片９４を図９の矢印Ｅ方向に動かして、その基端部を変形させることにより、動作片９４の先端を収容保持体９１の本体側に当接させて、スリット９５を閉塞する。
【０１０１】
また、芯糸１２において噛みつぶし１２よりも連結用環状部８５側の部分を開口部９６内に通して芯糸１１の先端を適当な長さに切断する。
【０１０２】
次に、凹部９２内に噛みつぶし１２が配置された状態の収容保持体９１をカバー体１４（図示略）内に挿入する。
【０１０３】
これにより、噛みつぶし１２を凹部９２とカバー体１４の内周との間に挟んで保持させるとともに、噛みつぶし１２を第１装飾部（図示略）側に抜け止めする。
【０１０４】
そして、連結用環状部９７に対し、連結環３３（図示略）を介して第２装飾部（図示略）を連結する。
【０１０５】
第６の実施形態によれば、芯糸１１を開口部９４内に配置するので、芯糸１１が図９の上下方向における中心付近に位置決めすることができる。
【０１０６】
なお、上記の第５及び第６の実施形態の場合にも、カバー体１４の構造は、上記の第１の実施形態と同様の構造であっても良い。たたし、カバー体１４の寸法は、収容保持体８１，９１に合わせて適宜に設定する。
【図面の簡単な説明】
【０１０７】
【図１】第１の実施形態に係る装身具用連結具を示す分解斜視図である。
【図２】第１の実施形態に係る装身具用連結具を示す正面断面図である。
【図３】第２の実施形態に係る装身具用連結具を示す正面断面図である。
【図４】第３の実施形態に係る装身具用連結具を示す分解斜視図である。
【図５】第３の実施形態に係る装身具用連結具を示す正面断面図である。
【図６】第４の実施形態に係る装身具用連結具を示す正面断面図である。
【図７】第５の実施形態に係る装身具用留め具を示す分解斜視図である。
【図８】第５の実施形態に係る装身具用連結具を示す正面断面図である。
【図９】第６の実施形態に係る装身具用留め具の収容保持体を示す斜視図である。
【図１０】従来の装身具用連結具を示す正面断面図である。
【符号の説明】
【０１０８】
１０    装身具用連結具
１２    噛みつぶし（保持体）
１３    噛み込み体（収容保持体）
１４    カバー体
１３ｆ  連結用環状部（連結部、連結環）
２０    第１装飾部
３０    第２装飾部
５１    雄ねじ部
５２    第１筒状体
５３    雌ねじ部
５４    第２筒状体
５５    中空部
５６    中空部
５０    装身具用連結具
６０    第１装飾部
８１    収容保持体
８２    凹部
８５    連結用環状部（連結部、連結環）
９１    収容保持体
９２    凹部
９７    連結用環状部（連結部、連結環）
【図１】
2007307066.tif 000003
【図２】
2007307066.tif 000004
【図３】
2007307066.tif 000005
【図４】
2007307066.tif 000006
【図５】
2007307066.tif 000007
【図６】
2007307066.tif 000008
【図７】
2007307066.tif 000009
【図８】
2007307066.tif 000010
【図９】
2007307066.tif 000011
【図１０】
2007307066.tif 000012